(57)【要約】【課題】  キースイッチがオン状態とされている際の消費電力を低減できる入力装置を提供する。【解決手段】  マイコン２、低消費電力状態において、キースイッチのいずれもオン状態とされていない場合、割り込み端子ｂがプルダウン抵抗素子Ｒ６を介して接地電位に接続される。マイコン２は、キースイッチのいずれかがオン状態とされたとき、割り込み端子ｂにハイレベルの割り込み信号が入力されることにより、低消費電力状態から通常状態に移行する。マイコン２は、割り込み端子ｂから各キースイッチの他方端子にローレベルの信号を出力することによって、オン状態とされたキースイッチに応じてキー入力端子ａに入力される電圧値が変化し、キー入力端子ａに入力される電圧値に基づいてオン状態とされたキースイッチを判断することができる。【選択図】図１
2012098865.tif 000002
【特許請求の範囲】
【請求項１】
抵抗素子と、一方端子が前記抵抗素子に接続されているキースイッチとを含みかつ相互に直列接続されている複数の電圧決定回路を有する入力手段と、
最前段の前記電圧決定回路が含む前記キースイッチの一方端子が接続されているキー入力端子と、割り込み端子とを有する制御手段とを備え、
前記各キースイッチの他方端子が、前記割り込み端子に接続され、かつ、プルダウン抵抗素子を介して接地電位に接続され、
前記制御手段が、低消費電力状態において、前記キースイッチのいずれもオン状態とされていない場合、前記割り込み端子が前記プルダウン抵抗素子を介して接地電位に接続されることにより、前記割り込み端子にはローレベルの信号が入力されており、前記キースイッチのいずれかがオン状態とされたとき、前記割り込み端子にハイレベルの割り込み信号が入力されることにより、低消費電力状態から通常状態に移行し、
前記制御手段が、低消費電力状態から通常状態に移行したとき、前記割り込み端子から前記各キースイッチの他方端子にローレベルの信号を出力することによって、オン状態とされたキースイッチに応じて前記キー入力端子に入力される電圧値が変化し、前記キー入力端子に入力される電圧値に基づいてオン状態とされたキースイッチを判断する、入力装置。
【請求項２】
前記制御手段が、前記キー入力端子に入力される電圧値に基づいてオン状態とされたキースイッチを判断した後、前記割り込み端子から前記各キースイッチの他方端子にローレベルの信号を出力することを停止する、請求項１に記載の入力装置。
【請求項３】
前記入力手段が複数並列に設けられ、
前記制御手段が、前記入力手段毎に前記キー入力端子を有し、
前記複数の入力手段の、各最前段の前記電圧決定回路が含む前記キースイッチの一方端子が、前記制御手段の対応するキー入力端子にそれぞれ接続され、
前記複数の入力手段の各キースイッチの他方端子が、前記割り込み端子に接続され、かつ、前記プルダウン抵抗素子を介して接地電位に接続されている、請求項１または２に記載の入力装置。
【発明の詳細な説明】
【技術分野】
【０００１】
本発明は、入力装置に関し、詳細にはスタンバイ状態において制御手段が動作を停止する低消費電力状態を有する入力装置に関する。
【背景技術】
【０００２】
ＡＶ機器等の電子機器は、電源オフ時においてもユーザのキー操作またはリモコン操作に応じて電源をオンできるように、マイクロコンピュータ（以下、単にマイコンとする）およびその周辺回路のみに電源を供給する状態（すなわち、スタンバイ状態）を有している。しかし、最近はそのスタンバイ状態においても、さらなる省電力化が要求され、マイコンには、マイコンが実行する処理がない場合に、マイコンの動作自体も停止する低消費電力状態が設けられている。そして、ユーザからのキー操作があった場合に、マイコンの割り込み端子に割り込み信号を入力し、低消費電力状態から通常状態に移行するようにしている（特許文献１および２）。なお、特許文献１では、ＯＲ回路および各キースイッチに対応して汎用入力端子を設ける必要があり回路構成が複雑となり、特許文献２では、キーマトリクスの各キーを繰り返しスキャンして、キーマトリクスの有効キー入力を検出しているが、スキャン信号がノイズの原因となるので、特にＡＶ機器においては実用的ではない。
【０００３】
一方、１つのキー入力端子ａのみにより、並列接続された複数のキースイッチのいずれがオンされたかをマイコンが判断できる回路として、特許文献４の図５に示す回路５０１が提案されている。この回路５０１は、例えば、キースイッチＳ２がオンされたとき、Ｖ１×Ｒ２／（Ｒ１＋Ｒ２）の電圧がマイコン２のキー入力端子ａに入力される。入力された電圧はＡ／Ｄ変換され、予め定められた各キースイッチＳ１〜Ｓ５に対応する電圧値と比較され、キースイッチＳ２が押されたことがマイコン２において判断される。
【０００４】
この回路５０１において、マイコンに低消費電力状態を設ける場合には、低消費電力状態から通常状態に移行するために、コンパレータ５０５を必要とする。コンパレータ５０５の一方端にはＡ点の電圧が入力され、他方端には基準電圧が入力されており、キースイッチがオンされたとき、コンパレータが割り込み信号（ローレベルの電圧）を割り込み端子ｂに与えるようにしている。しかし、上記の回路５０１では、低消費電力状態を解除するためにコンパレータを設ける必要があるので、コストが高くなるという問題がある。この問題を解決するために、特許文献３では、スタンバイ時に内蔵のタイマー機能によってマイコンを間欠動作させ、定期的にＡ／Ｄコンバータを動作させ、オンされたキースイッチを判断する方法が提案されている。しかし、この方法では、コンパレータを使用する必要はないものの、スタンバイ時にマイコンを間欠動作させているので、スタンバイ時の消費電力を十分に低減することができないという問題がある。
【０００５】
この問題を解決するために、本出願人は下記特許文献４の図１、図４に記載の入力装置を提案した。この入力装置は、並列接続された複数のキースイッチを有する入力手段と、入力手段の一方端が接続されるキー入力端子、および入力手段の他方端が接続される割り込み端子を有する制御手段とを備える。制御手段は、キースイッチがオン状態とされた場合に、入力手段の他方端から割り込み端子に割り込み信号が入力されることにより、低消費電力状態から通常状態に移行する。そして、制御手段は、入力手段の一方端からキー入力端子に与えられる電圧値に基づいてオン状態とされたスイッチを判断する。
【０００６】
しかし、この入力装置は、キースイッチがオン状態とされている間、電源Ｖ１から、オン状態とされているキースイッチを介して接地電位に大きな電流が流れ続けるので、消費電力が増大するという問題がある。また、特許文献４の図４に示すように、複数の入力手段３１、３２を並列接続することにより、キースイッチの数を増加させる場合には、ＡＮＤ回路４０４が別途必要になり、コストが増加するという問題がある。
【先行技術文献】
【特許文献】
【０００７】
【特許文献１】特開平９−１９８１６９号公報
【特許文献２】特開平７−１３６７１号公報
【特許文献３】特開２００１−１８６６５７号公報
【特許文献４】特開２００５−２６６８４３号公報
【発明の概要】
【発明が解決しようとする課題】
【０００８】
本発明の目的は、制御手段のキー入力端子に入力される電圧値に基づいてオンされたキースイッチを判断する入力装置に関して、キースイッチがオン状態とされている際の消費電力を低減できる入力装置を提供することである。
【課題を解決するための手段】
【０００９】
本発明の好ましい実施形態による入力装置は、抵抗素子と、一方端子が前記抵抗素子に接続されているキースイッチとを含みかつ相互に直列接続されている複数の電圧決定回路を有する入力手段と、最前段の前記電圧決定回路が含む前記キースイッチの一方端子が接続されているキー入力端子と、割り込み端子とを有する制御手段とを備え、前記各キースイッチの他方端子が、前記割り込み端子に接続され、かつ、プルダウン抵抗素子を介して接地電位に接続され、前記制御手段が、低消費電力状態において、前記キースイッチのいずれもオン状態とされていない場合、前記割り込み端子が前記プルダウン抵抗素子を介して接地電位に接続されることにより、前記割り込み端子にはローレベルの信号が入力されており、前記キースイッチのいずれかがオン状態とされたとき、前記割り込み端子にハイレベルの割り込み信号が入力されることにより、低消費電力状態から通常状態に移行し、前記制御手段が、低消費電力状態から通常状態に移行したとき、前記割り込み端子から前記各キースイッチの他方端子にローレベルの信号を出力することによって、オン状態とされたキースイッチに応じて前記キー入力端子に入力される電圧値が変化し、前記キー入力端子に入力される電圧値に基づいてオン状態とされたキースイッチを判断する。
【００１０】
いずれかのキースイッチがオン状態にされたとき、制御手段が低消費電力状態から通常状態に移行するまでの間は、オン状態とされたキースイッチおよびプルダウン抵抗素子を介して接地電位に電流が流れる。ここで、プルダウン抵抗素子の抵抗値を大きく設定することによって、流れる電流を小さくすることができ、消費電力を低減することができる。一方、制御手段が低消費電力状態から通常状態に移行すると、割り込み端子からキースイッチの他方端子にローレベルの信号が出力されるので、プルダウン抵抗素子の抵抗値の影響を無くすことができ、オン状態とされたキースイッチに応じて決定される電圧をキー入力端子に入力することができる。
【００１１】
好ましい実施形態においては、前記制御手段が、前記キー入力端子に入力される電圧値に基づいてオン状態とされたキースイッチを判断した後、前記割り込み端子から前記各キースイッチの他方端子にローレベルの信号を出力することを停止する。
【００１２】
従って、キー入力端子に入力される電圧値に基づいてオン状態とされたキースイッチを判断した後には、オン状態とされたキースイッチおよびプルダウン抵抗素子を介して接地電位に電流が流れる。ここで、プルダウン抵抗素子の抵抗値を大きく設定することによって、流れる電流を小さくすることができ、消費電力を低減することができる。
【００１３】
好ましい実施形態においては、前記入力手段が複数並列に設けられ、前記制御手段が、前記入力手段毎に前記キー入力端子を有し、前記複数の入力手段の、各最前段の前記電圧決定回路が含む前記キースイッチの一方端子が、前記制御手段の対応するキー入力端子にそれぞれ接続され、前記複数の入力手段の各キースイッチの他方端子が、前記割り込み端子に接続され、かつ、前記プルダウン抵抗素子を介して接地電位に接続されている。
【００１４】
この構成によって、上記特許文献４のようにＡＮＤ回路を設けることなく、複数の入力手段を並列接続して設けることができる。複数の並列回路を利用して多くのキー入力数に安価に対応できる。
【発明の効果】
【００１５】
制御手段のキー入力端子に入力される電圧値に基づいてオンされたキースイッチを判断する入力装置に関して、キースイッチがオン状態とされている際の消費電力を低減できる入力装置を提供することができる。
【図面の簡単な説明】
【００１６】
【図１】本発明の好ましい実施形態による入力装置１を示す回路ブロック図である。
【図２】入力装置１のマイコン２の処理を示すフローチャートである。
【図３】本発明の別の好ましい実施形態による入力装置１０１を示す回路ブロック図である。
【発明を実施するための形態】
【００１７】
以下、本発明の好ましい実施形態について、図面を参照して具体的に説明するが、本発明はこれらの実施形態には限定されない。図１は、本発明の好ましい実施形態による入力装置１を示す概略回路図である。入力装置１は、マイクロコンピュータに入力される電圧をＡ／Ｄ変換することによってオンされたキースイッチを判断する回路であり、制御手段２および入力手段３を備えている。なお、入力装置１が適用され得る機器は、ユーザのキー入力操作によって電源をオンできるように、マイコンのみに電源電圧を供給するスタンバイ状態を有している。
【００１８】
制御手段２は、本実施形態の入力装置１が適用され得る電子機器（例えば、ＣＤプレーヤ等）の動作を制御するためのものであり、一般的にはマイクロコンピュータ（以下、単にマイコンとする）が採用され得る。マイコン２は、メモリ４（ＲＯＭおよび／またはＲＡＭ等）がバス等を介して接続されており、メモリ４内に格納されている各種プログラムを実行することにより、各種動作（例えば、ＣＤプレーヤを再生状態にする等）を制御する。マイコン２は、その動作状態として、通常状態と低消費電力状態とを有している。通常状態は一般的にマイコン２が動作を実行可能な状態である。低消費電力状態は、機器全体がスタンバイ状態である場合において、マイコン２がその動作（例えば、クロックの発振およびクロックの供給）を停止することにより、消費電力をさらに低減させた状態である。
【００１９】
マイコン２は、キー入力端子ａおよび割り込み端子ｂを有している。キー入力端子ａは、オンされたキースイッチを判断するための電圧が入力される端子である。キー入力端子ａには、入力手段３から電圧が入力されており、キースイッチのいずれかがオンされた場合に、入力される電圧値が変化する（オンされたキースイッチに対応して所定電圧未満の電圧となる）。そして、マイコン２は、キー入力端子ａに入力される電圧をＡ／Ｄ（アナログ／デジタル）変換し、各キースイッチに対応して予め定められた電圧値と比較することによって、オンされたキースイッチを判断する。割り込み端子ｂは、低消費電力状態から通常状態に移行するための割り込み信号が入力手段３から入力される端子である。
【００２０】
入力手段３は、ユーザによるキースイッチのオン操作を受けて、マイコン２にその指示を与えるものである。入力手段３は、相互に直列接続された複数の電圧決定回路５ａ〜５ｅを有している。電圧決定回路の各々は、抵抗素子と、一方端子が抵抗素子に接続されたキースイッチとを有し、キースイッチがオンされた場合に、キー入力端子ａに与える電圧値を決定する。なお、キースイッチ（すなわち、電圧決定回路）の数は機器に要求される機能および動作に応じて、任意の適切な数が採用され得るが、本実施形態では５つのキースイッチＳＷ１〜ＳＷ５が設けられている。電圧決定回路５ａ（第１の電圧決定回路とする）は、抵抗素子Ｒ１およびそれに接続されたキースイッチＳＷ１を有しており、抵抗素子Ｒ１は電源Ｖ１に接続されている。ここでは、電圧決定回路５ａを最前段の電圧決定回路とする。電圧決定回路５ｂは、抵抗素子Ｒ２およびキースイッチＳＷ２を有し、電圧決定回路５ｃは、抵抗素子Ｒ３およびキースイッチＳＷ３を有し、電圧決定回路５ｄは、抵抗素子Ｒ４およびキースイッチＳＷ４を有し、電圧決定回路５ｅは、抵抗素子Ｒ５およびキースイッチＳＷ５を有する。ここでは、電圧決定回路５ｅを最後段の電圧決定回路とする。なお、抵抗素子Ｒ１〜Ｒ５は電源Ｖ１から直列に接続されており、各キースイッチＳＷ１〜ＳＷ５の他方端子はそれぞれプルダウン抵抗素子Ｒ６を介して接地電位に接続されている。
【００２１】
入力手段３は、その一方端Ａからキー入力端子ａに、オンされたキースイッチを判断するための信号を与える。すなわち、入力手段３の一方端Ａは、マイコン２のキー入力端子ａに接続されている。入力手段３の一方端Ａは、キースイッチがオンされていない（すなわち、全てのキースイッチがオフである）とき、所定電圧（電源電圧Ｖ１）となり、いずれかのキースイッチがオンされたとき、そのオンされたキースイッチに対応した所定電圧Ｖ１未満の電圧となるノードである。すなわち、入力手段３の一方端Ａは、複数のキースイッチＳＷ１〜ＳＷ５のうち電源Ｖ１に電気的に最も近い位置に設けられたキースイッチＳＷ１が接続されたノードである。さらに言い換えると、入力手段３の一方端Ａは、最前段であり、電源Ｖ１に直接に接続された第１の電圧決定回路５ａが有する抵抗素子Ｒ１とキースイッチＳＷ１との接続端である。
【００２２】
さらに、入力手段３は、キースイッチがオンされたとき、各キースイッチＳＷ１〜ＳＷ５の他方端子から割り込み端子ｂに、割り込み信号を与える。すなわち、各キースイッチＳＷ１〜ＳＷ５の他方端子は、マイコン２の割り込み端子ｂに接続されている。割り込み信号は、ハイレベルの電圧である。すなわち、割り込み端子ｂには、ハイレベル（つまり、所定電圧以上の電圧）およびローレベルの電圧（接地電位）が与えられ、マイコン２はハイレベルの電圧を割り込み信号として検知する。
【００２３】
キースイッチがオンされていない（すなわち、全てのキースイッチがオフされている）とき、各キースイッチＳＷ１〜ＳＷ５の他方端子の電圧は接地電位（つまりローレベル）となり、割り込み信号を割り込み端子ｂに与えていない状態となる。そのため、マイコン２は、低消費電力状態を維持する。一方、いずれかのキースイッチがオンされたとき、各キースイッチＳＷ１〜ＳＷ５の他方端子の電圧は、電源電圧Ｖ１を抵抗Ｒ１、Ｒ６（および、オンされたキースイッチに応じて、抵抗Ｒ２〜Ｒ５）によって分圧した電圧となり、割り込み信号（ハイレベルの信号）を割り込み端子ｂに与える状態となる。従って、マイコン２が低消費電力状態のときに、キースイッチがオンされた場合には、割り込み端子ｂに割り込み信号が入力され、通常状態に移行することができる。
【００２４】
このように、本実施形態の入力装置１は、各キースイッチＳＷ１〜ＳＷ５の他方端子が割り込み端子ｂに接続されているので、コンパレータを有することなく、低消費電力状態から通常状態に移行することができる。
【００２５】
マイコン２は、割り込み端子ｂに割り込み信号が入力されると、割り込み端子ｂから各キースイッチＳＷ１〜ＳＷ５の他方端子に対して、ローレベルの信号（接地電位）を出力する。例えば、マイコン２は、その内部において、割り込み端子ｂと接地電位との間にスイッチ２ａを有しており、スイッチ２ａをオン状態にすることによって、割り込み端子ｂからローレベルの信号を出力することができる。従って、いずれかのキースイッチがオンされたとき、キースイッチの他方端子がローレベルとなるので、入力手段３の一方端Ａは、キースイッチの他方端子を接地電位とし、電源電圧Ｖ１をオンされたキースイッチに応じて抵抗Ｒ１〜Ｒ５のいずれかで分圧した電圧になり、オンされたキースイッチに応じて電圧値を変更することができる。
【００２６】
次に、入力装置１におけるマイコン２の処理を、図２のフローチャートを参照して説明する。マイコン２は、低消費電力状態のときに、割り込み端子ｂを割り込み信号の待機状態に設定している。従って、割り込み端子ｂは、プルダウン抵抗素子Ｒ６を介して接地電位が接続された状態になっており、ローレベルの信号が入力されている。この状態で、マイコン２は、割り込み端子ｂに割り込み信号（ハイレベル）が入力されたか否かを判断している（Ｓ１）。
【００２７】
ユーザ操作によって、いずれかのキースイッチがオン状態にされると、割り込み信号が割り込み端子ｂに入力される。つまり、キースイッチＳＷ１がオンされた場合、Ｒ６・Ｖ１／（Ｒ１＋Ｒ６）が割り込み端子ｂに入力される。キースイッチＳＷ２がオンされた場合、Ｒ６・Ｖ１／（Ｒ１＋Ｒ２＋Ｒ６）が割り込み端子ｂに入力される。キースイッチＳＷ３がオンされた場合、Ｒ６・Ｖ１／（Ｒ１＋Ｒ２＋Ｒ３＋Ｒ６）が割り込み端子ｂに入力される。キースイッチＳＷ４がオンされた場合、Ｒ６・Ｖ１／（Ｒ１＋Ｒ２＋Ｒ３＋Ｒ４＋Ｒ６）が割り込み端子ｂに入力される。キースイッチＳＷ５がオンされた場合、Ｒ６・Ｖ１／（Ｒ１＋Ｒ２＋Ｒ３＋Ｒ４＋Ｒ５＋Ｒ６）が割り込み端子ｂに入力される。つまり、いずれかのキースイッチがオン状態とされることによって、割り込み信号であるハイレベルの信号が割り込み端子ｂに入力される。
【００２８】
なお、いずかのキースイッチがオン状態とされてから、マイコン２が通常状態に移行して、割り込み端子ｂからローレベルの信号を出力するまでの間、電源Ｖ１から抵抗素子Ｒ１、オン状態とされたキースイッチ（及びその前段に設けられている抵抗素子）、及び、プルダウン抵抗素子Ｒ６を介して接地電位に電流が流れる。しかし、プルダウン抵抗素子Ｒ６の抵抗値を（他の抵抗素子Ｒ１〜Ｒ５と比較して）大きな値（例えば５００ｋΩ）に設定しておくことによって、流れる電流を小さくでき、消費電力を低減することができる。
【００２９】
割り込み信号が割り込み端子ｂに入力されると（Ｓ１でＹＥＳ）、マイコン２は、低消費電力状態から通常状態に移行する（Ｓ２）。そして、マイコン２は、割り込み端子ｂを割り込み信号の待機状態から解除し、信号を入出力できる状態に設定する。
【００３０】
マイコン２は、例えば内部のスイッチ２ａをオン状態にし、割り込み端子ｂをマイコン２内部で接地電位に接続することによって、割り込み端子ｂから各キースイッチの他方端子に対してローレベルの信号を出力する（Ｓ３）。これにより、各キースイッチの他方端子は、直接（つまり、抵抗値の大きいプルダウン抵抗素子Ｒ６を介さずに）接地電位（マイコン２内部の接地電位）に接続されることになる。従って、キー入力端子ａに入力されるＡ点の電圧を、オンされたキースイッチに応じて変化させることができる。つまり、プルダウン抵抗素子Ｒ６の抵抗値が、抵抗素子１〜Ｒ５の抵抗値よりも大きく設定されているので、割り込み端子ｂからローレベルの信号を出力しないと、オンされたキースイッチによらずキー入力端子ａに入力されるＡ点の電圧は常に略Ｖ１になってしまい、マイコン２がオンされたキースイッチを判断することができないからである。
【００３１】
続いて、マイコン２は、Ａ／Ｄコンバータの動作を開始する。マイコン２は、キー入力端子ａに電圧が入力されると、その入力された電圧をアナログ値からデジタル値に変換し、その値を読み取る。マイコン２は、読み取った電圧値からオンされたキースイッチを判断する（Ｓ４）。
【００３２】
キースイッチＳＷ１がオンされた場合、キー入力端子ａには接地電位が入力されるので、マイコン２は、この電圧のデジタル値に基づいてキースイッチＳＷ１がオンされたことを判断する。キースイッチＳＷ２がオンされた場合、キー入力端子ａにはＲ２・Ｖ１／（Ｒ１＋Ｒ２）の電圧が入力されるので、マイコン２は、この電圧のデジタル値に基づいてキースイッチＳＷ２がオンされたことを判断する。キースイッチＳＷ３がオンされた場合、キー入力端子ａには（Ｒ２＋Ｒ３）・Ｖ１／（Ｒ１＋Ｒ２＋Ｒ３）の電圧が入力されるので、マイコン２は、この電圧のデジタル値に基づいてキースイッチＳＷ３がオンされたことを判断する。キースイッチＳＷ４がオンされた場合、キー入力端子ａには（Ｒ２＋Ｒ３＋Ｒ４）・Ｖ１／（Ｒ１＋Ｒ２＋Ｒ３＋Ｒ４）の電圧が入力されるので、マイコン２は、この電圧のデジタル値に基づいてキースイッチＳＷ４がオンされたことを判断する。キースイッチＳＷ５がオンされた場合、キー入力端子ａには（Ｒ２＋Ｒ３＋Ｒ４＋Ｒ５）・Ｖ１／（Ｒ１＋Ｒ２＋Ｒ３＋Ｒ４＋Ｒ５）の電圧が入力されるので、マイコン２は、この電圧のデジタル値に基づいてキースイッチＳＷ５がオンされたことを判断する。
【００３３】
マイコン２は、オンされたキースイッチを判別した後、例えばスイッチ２ａをオフ状態にし、割り込み端子ｂをマイコン２内部の接地電位から開放することによって、割り込み端子ｂからローレベルの信号を出力しないようにする（Ｓ５）。従って、再び、電源Ｖ１から抵抗素子Ｒ１、オン状態とされたキースイッチ（及びその前段に設けられている抵抗素子）、及び、プルダウン抵抗素子Ｒ６を介して接地電位に電流が流れるようになるので、流れる電流を小さくすることができ、消費電力を低減することができる。そして、マイコン２は、オンされたキースイッチに対応する処理を実行する（Ｓ６）。
【００３４】
次に、本発明のさらに別の好ましい実施形態の入力装置１０１について説明する。図３は、入力装置１０１を示す概略回路図である。入力装置１０１は、入力手段を複数（本例では２つ）並列に有している。入力手段３１および３２の一方端Ａ１およびＡ２はそれぞれ、対応するキー入力端子ａ１およびａ２に接続されている。つまり、マイコン２は、入力手段３１の一方端Ａ１が接続されるキー入力端子ａ１と、入力手段３２の一方端Ａ２が接続されるキー入力端子ａ２とを有する。入力手段３１および３２の各キースイッチＳＷ１〜ＳＷ１０の他方端子は、割り込み端子ｂに接続され、かつ、プルダウン抵抗素子Ｒ６を介して接地電位に接続されている。入力手段３１および３２の構成は、図１の回路図の入力手段３と同じであるので、その説明を援用する。
【００３５】
入力装置１０１の動作は入力装置１の動作と略同じである。つまり、キースイッチＳＷ６がオンされた場合、Ｒ６・Ｖ１／（Ｒ７＋Ｒ６）が割り込み端子ｂに入力される。キースイッチＳＷ７がオンされた場合、Ｒ６・Ｖ１／（Ｒ７＋Ｒ８＋Ｒ６）が割り込み端子ｂに入力される。キースイッチＳＷ８がオンされた場合、Ｒ６・Ｖ１／（Ｒ７＋Ｒ８＋Ｒ９＋Ｒ６）が割り込み端子ｂに入力される。キースイッチＳＷ９がオンされた場合、Ｒ６・Ｖ１／（Ｒ７＋Ｒ８＋Ｒ９＋Ｒ１０＋Ｒ６）が割り込み端子ｂに入力される。キースイッチＳＷ１０がオンされた場合、Ｒ６・Ｖ１／（Ｒ７＋Ｒ８＋Ｒ９＋Ｒ１０＋Ｒ１１＋Ｒ６）が割り込み端子ｂに入力される。従って、マイコン２は、割り込み信号が入力されたことを判断し、低消費電力状態から通常状態に移行する。
【００３６】
キースイッチＳＷ６がオンされた場合、キー入力端子ａ２には接地電位が入力されるので、マイコン２は、この電圧のデジタル値に基づいてキースイッチＳＷ６がオンされたことを判断する。キースイッチＳＷ７がオンされた場合、キー入力端子ａ２にはＲ８・Ｖ１／（Ｒ７＋Ｒ８）の電圧が入力されるので、マイコン２は、この電圧のデジタル値に基づいてキースイッチＳＷ７がオンされたことを判断する。キースイッチＳＷ８がオンされた場合、キー入力端子ａ２には（Ｒ８＋Ｒ９）・Ｖ１／（Ｒ７＋Ｒ８＋Ｒ９）の電圧が入力されるので、マイコン２は、この電圧のデジタル値に基づいてキースイッチＳＷ８がオンされたことを判断する。キースイッチＳＷ９がオンされた場合、キー入力端子ａ２には（Ｒ８＋Ｒ９＋Ｒ１０）・Ｖ１／（Ｒ７＋Ｒ８＋Ｒ９＋Ｒ１０）の電圧が入力されるので、マイコン２は、この電圧のデジタル値に基づいてキースイッチＳＷ９がオンされたことを判断する。キースイッチＳＷ１０がオンされた場合、キー入力端子ａ２には（Ｒ８＋Ｒ９＋Ｒ１０＋Ｒ１１）・Ｖ１／（Ｒ７＋Ｒ８＋Ｒ９＋Ｒ１０＋Ｒ１１）の電圧が入力されるので、マイコン２は、この電圧のデジタル値に基づいてキースイッチＳＷ１０がオンされたことを判断する。
【００３７】
上記特許文献４では、入力手段を複数並列に有する場合にはＡＮＤ回路を設ける必要があった。しかし、本実施形態の入力装置１０１によると、割り込み端子ｂに共通に接続されるのが各キースイッチの他方端子であり、各キースイッチの他方端子はプルダウン抵抗素子Ｒ６を介して接地電位に接続されている構成であるので、ＡＮＤ回路によって入力手段３１、３２を相互に分離する必要がない。従って、ＡＮＤ回路を設ける必要がなく、回路構成を簡単化でき、コストを削減することができる。
【００３８】
以上、本発明の好ましい実施形態について説明したが、本発明はこれらの実施形態には限定されない。
【産業上の利用可能性】
【００３９】
本発明は、例えば、スタンバイ時の省電力化が望まれている電子機器、特に、ＴＶ、オーディオコンポ、ＡＶレシーバおよびＤＶＤプレーヤ／レコーダ等のＡＶ機器、あるいはパーソナルコンピュータ等に好適に採用され得る。
【符号の説明】
【００４０】
１    キー入力装置
２    制御手段
３    入力手段
【図１】
2012098865.tif 000003
【図２】
2012098865.tif 000004
【図３】
2012098865.tif 000005